(57)【要約】【課題】  マルチキャスト通信システムにおいて、サーバから配信先の端末全てに配信データを配信し終わるまでに長い時間を要するという問題点がある。【解決手段】  端末２０が参加するマルチキャストグループを識別するマルチキャストグループ識別情報と、該端末を識別する端末識別情報とを対応付けてマルチキャストグループテーブル１０１に予め設定しておき、サーバ３０から受信した配信データの宛先のマルチキャストグループ識別情報に参加している全ての端末の端末識別情報を、テーブル１０１から取得し、取得した各端末識別情報で識別される端末へ一斉に配信データを配信する。【選択図】      図１
2015037273.tif 000002
【特許請求の範囲】
【請求項１】
複数のグループのそれぞれを識別するグループ識別情報と、各前記グループに参加している端末を識別する端末識別情報とを対応付けて記憶した記憶手段と、
データとデータ配信先グループを識別するグループ識別情報とを含むパケットをサーバから受信し、受信した該パケットに含まれる該グループ識別情報と一致するグループ識別情報が前記記憶手段に記憶されている場合、当該グループ識別情報と対応付けて前記記憶手段に記憶されている前記端末識別情報で識別される前記端末に、前記パケットに含まれている前記データを配信するデータ送受信手段と
から構成されたことを特徴とする通信制御装置。
【請求項２】
前記端末から、該端末を識別する端末識別情報と参加を希望するグループを識別するグループ識別情報とを含む参加要求メッセージを受信する第１の処理と、
受信した該参加要求メッセージに含まれる前記グループ識別情報が前記記憶手段に記憶されているか否かを調べる第２の処理と、
前記第２の処理において前記グループ識別情報が前記記憶手段に記憶されていることが判明した場合には、前記参加要求メッセージに含まれる前記端末識別情報を当該グループ識別情報と対応付けて前記記憶手段に追加登録する第３の処理と、
前記第２の処理において前記グループ識別情報が前記記憶手段に記憶されていないことが判明した場合には、当該グループ識別情報を前記記憶手段に追加登録するとともに、登録された当該グループ識別情報に対応付けて、前記参加要求メッセージに含まれる前記端末識別情報を前記記憶手段に登録する第４の処理と
を行うメッセージ受信手段
を含むことを特徴とする請求項１記載の通信制御装置。
【請求項３】
前記メッセージ受信手段は、
前記端末から、該端末を識別する端末識別情報と脱退を希望するグループを識別するグループ識別情報とを含んだ脱退要求メッセージを受信し、受信した該脱退要求メッセージに含まれる前記グループ識別情報と対応付けて前記記憶手段に記憶されている前記端末識別情報のうち、前記脱退要求メッセージに含まれる前記端末識別情報と一致する前記端末識別情報を前記記憶手段から削除する
ことを特徴とする請求項２記載の通信制御装置。
【請求項４】
サーバと
複数の端末と、
通信制御装置と
から構成され、
前記通信制御装置は
複数のグループのそれぞれを識別するグループ識別情報と、各前記グループに参加している前記端末を識別する端末識別情報とを対応付けて記憶した記憶手段と、
データとデータ配信先グループを識別するグループ識別情報とを含むパケットを前記サーバから受信し、受信した該パケットに含まれる該グループ識別情報と一致するグループ識別情報が前記記憶手段に記憶されている場合、当該グループ識別情報と対応付けて前記記憶手段記憶されている前記端末識別情報で識別される前記端末に、前記パケットに含まれている前記データを配信するデータ送受信手段と
を備えた
ことを特徴とするマルチキャスト通信システム。
【請求項５】
複数のグループのそれぞれを識別するグループ識別情報と、各前記グループに参加している端末を識別する端末識別情報とを対応付けて記憶手段に管理者により予め記憶しておく記憶ステップと、
データとデータ配信先グループを識別するグループ識別情報とを含むパケットをサーバから受信するパケット受信ステップと、
受信した該パケットに含まれる該グループ識別情報と一致するグループ識別情報が前記記憶手段に記憶されている場合、当該グループ識別情報と対応付けて前記記憶手段に記憶されている前記端末識別情報で識別される前記端末に、前記パケットに含まれている前記データを配信するデータ配信ステップと
を含むことを特徴とするマルチキャスト通信方法。
【請求項６】
前記端末から、該端末を識別する端末識別情報と参加を希望するグループを識別するグループ識別情報とを含む参加要求メッセージを受信する参加要求メッセージ受信ステップと、
受信した該参加要求メッセージに含まれる前記グループ識別情報が前記記憶手段に記憶されているか否かを調べる調査ステップと、
前記調査ステップにおいて前記グループ識別情報が前記記憶手段に記憶されていることが判明した場合には、前記参加要求メッセージに含まれる前記端末識別情報を当該グループ識別情報と対応付けて前記記憶手段に追加登録する第１の登録ステップと、
前記調査ステップにおいて前記グループ識別情報が前記記憶手段に記憶されていないことが判明した場合には、当該グループ識別情報を前記記憶手段に追加登録するとともに、登録された当該グループ識別情報に対応付けて、前記参加要求メッセージに含まれる前記端末識別情報を前記記憶手段に登録する第２の登録ステップと
を含むことを特徴とする請求項５記載のマルチキャスト通信方法。
【請求項７】
前記端末から、該端末を識別する端末識別情報と脱退を希望するグループを識別するグループ識別情報とを含んだ脱退要求メッセージを受信する脱退要求メッセージ受信ステップと、
受信した該脱退要求メッセージに含まれる前記グループ識別情報と対応付けて前記記憶手段に記憶されている前記端末識別情報のうち、前記脱退要求メッセージに含まれる前記端末識別情報と一致する前記端末識別情報を前記記憶手段から削除する削除ステップと
を含むことを特徴とする請求項６記載のマルチキャスト通信方法。
【請求項８】
複数のグループのそれぞれを識別するグループ識別情報と、各前記グループに参加している前記端末を識別する端末識別情報とを対応付けて記憶手段に管理者により予め記憶しておく記憶ステップと、
サーバが、データとデータ配信先グループを識別するグループ識別情報とを含むパケットを、通信制御装置に送信する送信ステップと、
前記通信制御装置が受信した該パケットに含まれる該グループ識別情報と一致するグループ識別情報が前記記憶手段に記憶されている場合、前記通信制御装置が、当該グループ識別情報と対応付けて前記記憶手段記憶されている前記端末識別情報で識別される前記端末に、前記パケットに含まれている前記データを配信するデータ配信ステップと
を含むことを特徴とするマルチキャスト通信方法。
【請求項９】
複数のグループのそれぞれを識別するグループ識別情報と、各前記グループに参加している端末を識別する端末識別情報とを対応付けて記憶した記憶手段を含むコンピュータにおいて、
データとデータ配信先グループを識別するグループ識別情報とを含むパケットをサーバから受信するパケット受信処理と、
受信した該パケットに含まれる該グループ識別情報と一致するグループ識別情報が前記記憶手段に記憶されている場合、当該グループ識別情報と対応付けて前記記憶手段に記憶されている前記端末識別情報で識別される前記端末に、前記パケットに含まれている前記データを配信するデータ配信処理と
を前記コンピュータに実行させることを特徴とするマルチキャスト通信プログラム。
【請求項１０】
前記端末から、該端末を識別する端末識別情報と参加を希望するグループを識別するグループ識別情報とを含む参加要求メッセージを受信する参加要求メッセージ受信処理と、
受信した該参加要求メッセージに含まれる前記グループ識別情報が前記記憶手段に記憶されているか否かを調べる調査処理と、
前記調査処理において前記グループ識別情報が前記記憶手段に記憶されていることが判明した場合には、前記参加要求メッセージに含まれる前記端末識別情報を当該グループ識別情報と対応付けて前記記憶手段に追加登録する第１の登録処理と、
前記調査処理において前記グループ識別情報が前記記憶手段に記憶されていないことが判明した場合には、当該グループ識別情報を前記記憶手段に追加登録するとともに、登録された当該グループ識別情報に対応付けて、前記参加要求メッセージに含まれる前記端末識別情報を前記記憶手段に登録する第２の登録処理と
を前記コンピュータに実行させることを特徴とする請求項９記載のマルチキャスト通信プログラム。
【発明の詳細な説明】
【技術分野】
【０００１】
本発明は、通信制御装置、マルチキャスト通信システム、マルチキャスト通信方法およびマルチキャスト通信プログラムに関し、特に、プッシュ型データ配信方式を採用する通信制御装置、マルチキャスト通信システム、マルチキャスト通信方法およびマルチキャスト通信プログラムに関する。
【背景技術】
【０００２】
各種のデータ通信システムのうちの１つとして、ネットワークを介してデータをサーバから複数の端末に同時に配信するマルチキャスト通信システムがある。
【０００３】
さらに、係るマルチキャスト通信システムにおいて、サーバから複数の端末へデータを配信する方式としては、複数の端末からサーバに、該サーバ内のデータの取得の要求を送出し、この要求を基にサーバが当該データをそれらの端末に配信するプル型データ配信方式（例えば、特許文献３および特許文献４参照。）と、サーバが端末から、該サーバ内のデータの取得の要求を受信することなしに、サーバが独自に判断してデータを複数の端末に配信するプッシュ型データ配信方式とがある。
【０００４】
以下では、プッシュ型データ配信方式を採用したマルチキャスト通信システムについて説明する。
【０００５】
特許文献１には、複数の移動装置を有する一方で、基地局やアクセスポイントを有しない無線アドホックネットワークにおいて、それぞれ複数の移動装置からなる複数のグループを設け、あるグループ内のある移動装置から当該グループに属する他の全ての移動装置にマルチキャストメッセージを順次転送していくプッシュ型データ配信方式を採用したマルチキャスト通信システムが記載されている。
【０００６】
さらに、特許文献２には、サーバから端末装置にデータを配信する場合、サーバから通信中継装置にデータを一旦配信した後、こうして配信されたデータの識別子を、サーバから複数の端末装置にマルチキャストで通知し、識別子を通知された端末装置では、識別子で特定されるデータの取得の要求を送出して、通信中継装置に蓄積された当該データを取得するというプッシュ型データ配信方式およびプル型データ配信方式の双方を採用したマルチキャスト通信システムが記載されている。
【先行技術文献】
【特許文献】
【０００７】
【特許文献１】特表２０１１−５１５０３７号広報
【特許文献２】特開２００６−３１１０１３号広報
【特許文献３】特開２０１１−２４４２５５号広報
【特許文献４】特開２０１０−１４７６００号広報
【発明の概要】
【発明が解決しようとする課題】
【０００８】
しかしながら、特許文献１記載のシステムでは、ある移動装置から他の全ての移動装置へ順番にデータを転送していくので、全ての移動装置にデータが配信し終わるまでに長い時間を要するという問題点がある。
【０００９】
また、特許文献２記載のシステムでは、配信データを一旦中継装置に蓄積するとともに、こうして中継装置に蓄積したデータを端末に取得させるために、サーバから端末装置に当該データの識別子を通知する必要があり、データの配信に長い時間を要するという問題点がある。
【００１０】
本発明の目的は、上述した問題点を解決できるマルチキャスト通信システム、通信制御装置、マルチキャスト通信方法およびマルチキャスト通信プログラムを提供することにある。
【課題を解決するための手段】
【００１１】
本発明の通信制御装置は、
複数のグループのそれぞれを識別するグループ識別情報と、各前記グループに参加している端末を識別する端末識別情報とを対応付けて記憶した記憶手段と、
データとデータ配信先グループを識別するグループ識別情報とを含むパケットをサーバから受信し、受信した該パケットに含まれる該グループ識別情報と一致するグループ識別情報が前記記憶手段に記憶されている場合、当該グループ識別情報と対応付けて前記記憶手段に記憶されている前記端末識別情報で識別される前記端末に、前記パケットに含まれている前記データを配信するデータ送受信手段と
を備える。
【００１２】
また、本発明のマルチキャスト通信システムは、
サーバと
複数の端末と、
通信制御装置と
から構成され、
前記通信制御装置は
複数のグループのそれぞれを識別するグループ識別情報と、各前記グループに参加している前記端末を識別する端末識別情報とを対応付けて記憶した記憶手段と、
データとデータ配信先グループを識別するグループ識別情報とを含むパケットを前記サーバから受信し、受信した該パケットに含まれる該グループ識別情報と一致するグループ識別情報が前記記憶手段に記憶されている場合、当該グループ識別情報と対応付けて前記記憶手段記憶されている前記端末識別情報で識別される前記端末に、前記パケットに含まれている前記データを配信するデータ送受信手段と
を備える。
【００１３】
また、本発明のマルチキャスト通信方法は、
複数のグループのそれぞれを識別するグループ識別情報と、各前記グループに参加している端末を識別する端末識別情報とを対応付けて記憶手段に管理者により予め記憶しておく記憶ステップと、
データとデータ配信先グループを識別するグループ識別情報とを含むパケットをサーバから受信するパケット受信ステップと、
受信した該パケットに含まれる該グループ識別情報と一致するグループ識別情報が前記記憶手段に記憶されている場合、当該グループ識別情報と対応付けて前記記憶手段に記憶されている前記端末識別情報で識別される前記端末に、前記パケットに含まれている前記データを配信するデータ配信ステップと
を含む。
【００１４】
また、本発明の他のマルチキャスト通信方法は、
複数のグループのそれぞれを識別するグループ識別情報と、各前記グループに参加している前記端末を識別する端末識別情報とを対応付けて記憶手段に管理者により予め記憶しておく記憶ステップと、
サーバが、データとデータ配信先グループを識別するグループ識別情報とを含むパケットを、通信制御装置に送信する送信ステップと、
前記通信制御装置が受信した該パケットに含まれる該グループ識別情報と一致するグループ識別情報が前記記憶手段に記憶されている場合、前記通信制御装置が、当該グループ識別情報と対応付けて前記記憶手段記憶されている前記端末識別情報で識別される前記端末に、前記パケットに含まれている前記データを配信するデータ配信ステップと
を含む。
【００１５】
また、本発明のマルチキャスト通信プログラムは、
複数のグループのそれぞれを識別するグループ識別情報と、各前記グループに参加している端末を識別する端末識別情報とを対応付けて記憶した記憶手段を含むコンピュータにおいて、
データとデータ配信先グループを識別するグループ識別情報とを含むパケットをサーバから受信するパケット受信処理と、
受信した該パケットに含まれる該グループ識別情報と一致するグループ識別情報が前記記憶手段に記憶されている場合、当該グループ識別情報と対応付けて前記記憶手段に記憶されている前記端末識別情報で識別される前記端末に、前記パケットに含まれている前記データを配信するデータ配信処理と
を前記コンピュータに実行させる。
【発明の効果】
【００１６】
本発明には、サーバから受信した配信データを、宛先のマルチキャストグループに参加している端末に一斉に送信できるため、データの配信に要する時間を短くできるという効果がある。
【図面の簡単な説明】
【００１７】
【図１】図１は、本発明の実施形態を示すブロック図である。
【図２】図２は、本発明の実施形態において使用されるマルチキャストグループテーブル１０１を示す図である。
【図３】図３は、本発明の実施形態においてサーバ３０からマルチキャストパケットを受信した場合の動作の概要を示すフローチャートである。
【図４】図４は、本発明の実施形態において端末２０からマルチキャストグループへの参加要求メッセージを受信した場合の動作の概要を示すフローチャートである。
【図５】図５は、本発明の実施形態において端末２０から参加要求メッセージを受け取った後のマルチキャストグループテーブル１０１を示す図である。
【図６】図６は、本発明の実施形態において端末２０からマルチキャストグループからの脱退要求メッセージを受信した場合の動作の概要を示すフローチャートである。
【発明を実施するための形態】
【００１８】
次に、本発明の実施形態について図面を参照して詳細に説明する。
【００１９】
図１は本発明の実施形態を示すブロック図である。
【００２０】
図１を参照すると、本実施形態は、通信制御装置１０と、複数の端末２０と、サーバ３０とから構成される。端末２０およびサーバ３０は、それぞれネットワーク４０および５０を介して通信制御装置１０と接続される。
【００２１】
通信制御装置１０は、メッセージ受信部１００と、マルチキャストグループテーブル１０１を記憶した記憶部１０４と、マルチキャストパケット送受信部１０２とを備える。
【００２２】
なお、通信制御装置１０は専用のハードウェアで実現しても良いし、または、プログラムの制御に従って動作する一般的なコンピュータにより実現しても良い。
【００２３】
メッセージ受信部１００は、端末２０から送信されたデータを受信する。
【００２４】
マルチキャストグループテーブル１０１は、それぞれ複数のマルチキャストグループを識別するマルチキャストグループ識別情報と、各マルチキャストグループに参加している端末を識別する端末識別情報とを対応付けて保持する。
【００２５】
図２は、マルチキャストグループテーブル１０１の一例を示す図である。
【００２６】
図２に示すテーブルにおいて、１行目は項目名を示し、２行目以降が１行目の各項目名で示される項目の内容の一例である。
【００２７】
図２を参照すると、マルチキャストグループテーブル１０１は、マルチキャストグループを識別するマルチキャストグループ識別情報が登録されるマルチキャストグループ識別情報欄と、マルチキャストグループ識別情報欄に登録された各マルチキャストグループ識別情報で識別されるマルチキャストグループに参加している全ての端末をそれぞれ識別する端末識別情報が登録される端末識別情報欄とから構成される。
【００２８】
例えば、テーブル１０１の２行目を見ると、マルチキャストグループ識別情報が「２２４．１．１．１」であるマルチキャストグループに参加している端末は、端末識別情報が「端末Ａ」である端末であることが判る。
【００２９】
なお、マルチキャストグループ識別情報は、例えば、マルチキャストグループアドレスであり、また、端末識別情報は、例えば、端末アドレスである。
【００３０】
また、４行目を見ると、マルチキャストグループ識別情報が「２２４．１．１．３」であるマルチキャストグループに参加している端末は、端末識別情報が「端末Ｃ乃至Ｊ」である８つの端末であることが判る。
【００３１】
なお、マルチキャストグループテーブル１０１には、必要に応じて、管理者が、所望のマルチキャストグループを識別するマルチキャストグループ識別情報と、当該グループに参加する端末を識別する端末識別情報とを対応付けて、予め登録しておく。
【００３２】
マルチキャストパケット送受信部１０２は、サーバ３０から送信されたマルチキャストパケットを受信する。このマルチキャストパケットは、配信先のマルチキャストグループを識別するマルチキャストグループ識別情報と、配信データとから構成される。こうして受信したマルチキャストパケットをどの端末２０に送信するかについては後述する。
【００３３】
端末２０は、利用者が情報を入力するためのキーボード等の入力手段と、各種の情報を表示するためのディスプレイ等の出力手段とを備える。ここで、端末２０としては、例えば、パーソナルコンピュータ、タブレット型端末またはＰＤＡ（Ｐｅｒｓｏｎａｌ  Ｄｉｇｉｔａｌ  Ａｓｓｉｓｔａｎｔ）端末が考えられるが、これらに限定されるものではない。
【００３４】
サーバ３０は、各種のデータを記憶しており、所望のデータとマルチキャストグループ識別情報とからなるマルチキャストパケットを通信制御装置１０に送信する。
【００３５】
次に、本実施形態の動作について詳細に説明する。
【００３６】
図３は、サーバ３０からマルチキャストパケットを受信した場合の通信制御装置１０の動作の概要を示すフローチャートである。
【００３７】
図３を参照すると、まず、マルチキャストパケット送受信部１０２は、サーバ３０から送信されたマルチキャストパケットを受信し（ステップＳ１０１）、当該パケットに含まれるマルチキャストグループ識別情報を基にマルチキャストグループテーブル１０１のマルチキャストグループ識別情報欄を検索し、マルチキャストグループ識別情報欄に当該マルチキャストグループ識別情報が登録されているか否かを判定する（ステップＳ１０２）。
【００３８】
当該マルチキャストグループ識別情報が登録されている場合（ステップＳ１０２でＹＥＳの場合）、マルチキャストパケット送受信部１０２は、当該識別情報に対応付けて端末識別情報欄に登録されている全ての端末識別情報を取得し、こうして取得した端末識別情報で識別される全ての端末に当該マルチキャストパケットを送信する（ステップＳ１０３）。
【００３９】
一方、当該マルチキャストグループ識別情報が登録されていない場合（ステップＳ１０２でＮＯの場合）、マルチキャストパケット送受信部１０２は、何もせずに処理を終了する。
【００４０】
例えば、マルチキャストグループテーブル１０１が図２で示される状態のときに、サーバ３０から受信したマルチキャストパケットに含まれるマルチキャストグループ識別情報が「２２４．１．１．３」であった場合、マルチキャストパケット送受信部１０２は、マルチキャストグループテーブル１０１を参照し、マルチキャストグループ識別情報欄に「２２４．１．１．３」が登録されていることを知り、当該識別情報（「２２４．１．１．３」）に対応付けて端末識別情報欄に登録されている端末識別情報「端末Ｃ乃至Ｊ」で識別される８つの端末に、当該マルチキャストパケットを配信する。
【００４１】
以上の説明では、テーブル１０１に管理者が各マルチキャストグループに参加する端末を識別する端末識別情報を予め登録し、管理者が登録したテーブル１０１の内容に従ってマルチキャストパケットを配信する例を挙げたが、管理者が登録した端末に加えて別の端末が自ら自身の端末の識別子を登録する場合について図４および６を参照して以下に説明する。
【００４２】
図４を参照すると、まず、メッセージ受信部１００は、参加を希望する端末２０から、該端末を識別する端末識別情報と、参加を希望するマルチキャストグループを識別するマルチキャストグループ識別情報とを含んだ参加要求メッセージを受信する（ステップＳ２０１）。
【００４３】
次に、メッセージ受信部１００は、参加要求メッセージに含まれるマルチキャストグループ識別情報を基にマルチキャストグループテーブル１０１のマルチキャストグループ識別情報欄を検索し、当該マルチキャストグループ識別情報が登録されている場合、該識別情報に対応付けて端末識別情報欄に、上記参加要求メッセージに含まれる端末識別情報を追加登録する。
【００４４】
また、マルチキャストグループ識別情報欄に当該マルチキャストグループ識別情報が登録されていない場合、メッセージ受信部１００は、マルチキャストグループ識別情報欄に当該マルチキャストグループ識別情報を追加登録し、該識別情報に対応付けて端末識別情報欄に、上記参加要求メッセージに含まれる端末識別情報を登録する（ステップＳ２０２）。
【００４５】
例えば、マルチキャストグループテーブル１０１が図２で示される状態のときに、端末識別情報が「端末Ａ」である端末から、端末識別情報として「端末Ａ」と、マルチキャストグループ識別情報として「２２４．１．１．３」とを含む参加要求メッセージを受信すると、メッセージ受信部１００は、テーブル１０１のマルチキャストグループ識別情報欄に「２２４．１．１．３」が登録されているので、当該識別情報に対応する端末識別情報欄に既に登録されている端末識別情報に加えて、端末識別情報「端末Ａ」を登録する（図５参照。）
そして、マルチキャストグループテーブル１０１が図５で示される状態のときに、サーバ３０から受信したマルチキャストパケットに含まれるマルチキャストグループ識別情報が「２２４．１．１．３」であった場合、マルチキャストパケット送受信部１０２は、マルチキャストグループテーブル１０１を参照し、マルチキャストグループ識別情報欄に「２２４．１．１．３」が登録されていることを知り、当該識別情報（「２２４．１．１．３」）に対応付けて端末識別情報欄に登録されている端末識別情報「端末Ａおよび端末Ｃ乃至Ｊ」で識別される９つの端末に、当該マルチキャストパケットを配信する。
【００４６】
次に、上述したように、あるマルチキャストグループに参加を要求した端末がそのグループから脱退したい場合の動作について説明する。
【００４７】
図６を参照すると、まず、メッセージ受信部１００は、脱退を希望する端末２０から、該端末を識別する端末識別情報と、脱退を希望するマルチキャストグループを識別するマルチキャストグループ識別情報とを含む脱退要求メッセージを受信する（ステップＳ３０１）。
【００４８】
次に、メッセージ受信部１００は、脱退要求メッセージに含まれるマルチキャストグループ識別情報を基にマルチキャストグループテーブル１０１のマルチキャストグループ識別情報欄を検索し、該識別情報と対応付けて端末識別情報欄に登録されている、上記脱退要求メッセージに含まれる端末識別情報を削除する（ステップＳ３０２）。
【００４９】
なお、当該端末識別情報を削除した結果、上記脱退要求メッセージに含まれるマルチキャストグループ識別情報に対応付けて端末識別情報欄に登録されていた端末識別情報が全てなくなった場合、該マルチキャストグループ識別情報も併せて削除する。
【００５０】
以上、説明したように、本実施形態では、サーバ３０から受信した配信データを、宛先のマルチキャストグループに参加している端末に一斉に送信できるため、データの配信に要する時間を短くできるという効果がある。
【００５１】
その理由は、端末２０が参加するマルチキャストグループを識別するマルチキャストグループ識別情報と、該端末を識別する端末識別情報とを対応付けてマルチキャストグループテーブル１０１に予め設定しておき、サーバ３０から受信した配信データの宛先のマルチキャストグループ識別情報に参加している全ての端末の端末識別情報を、テーブル１０１から取得し、取得した各端末識別情報で識別される端末へ一斉に配信データを配信するからである。
【符号の説明】
【００５２】
１０    通信制御装置
２０    端末
３０    サーバ
４０    ネットワーク
５０    ネットワーク
１００    メッセージ受信部
１０１    マルチキャストグループテーブル
１０２    マルチキャストパケット送受信部
【図１】
2015037273.tif 000003
【図２】
2015037273.tif 000004
【図３】
2015037273.tif 000005
【図４】
2015037273.tif 000006
【図５】
2015037273.tif 000007
【図６】
2015037273.tif 000008